(57)【要約】【課題】  土類をその量をある程度計量してすくい取ることができるようにして、土嚢袋へ入る土類の量を一定化し、土嚢の均一化を図ることができるようにするとともに、複数の土嚢袋に同時に充填できるようにして製造効率の向上を図る。【解決手段】  油圧ショベルＢのアーム１２に回動可能かつ着脱可能に連結されるもので、一端に底部２１を有し他端に開口２３を有し土類が入れられる筒体２２をその軸線ｘを平行にして複数列設してなる本体２０と、本体２０に設けられる連結部３０とを備えた。【選択図】  図１
2005030111.tif 000002
【特許請求の範囲】
【請求項１】
油圧ショベルのアームに回動可能かつ着脱可能に連結され、開放状態で列設された複数の土嚢袋に土類を充填する為の油圧ショベル用バケット装置において、
一端に底部を有し他端に開口を有して形成され土類が入れられる筒体をその軸線を平行にして複数列設してなる本体と、
該本体に設けられ上記アームに連結される連結部とを備えた油圧ショベル用バケット装置。
【請求項２】
上記各筒体を所定ピッチで列設したことを特徴とする請求項１記載の油圧ショベル用バケット装置。
【請求項３】
上記筒体の開口を該筒体の軸線に対して傾斜形成し該開口の一部に尖状部を形成したことを特徴とする請求項１または２記載の油圧ショベル用バケット装置。
【発明の詳細な説明】
【技術分野】
【０００１】
本発明は、油圧ショベルのアタッチメントとしての油圧ショベル用バケット装置に係り、特に、土嚢を製造する際に用いられ、土嚢袋に土類を充填する為の油圧ショベル用バケット装置に関する。
【背景技術】
【０００２】
一般に、土嚢は、土嚢袋にその開口から土類を充填し、開口を締め紐などで締めて閉塞して製造されている。
従来、このような土嚢を製造する方法としては、例えば、特許文献１（特許第２７３９３０７号公報）に記載され、油圧ショベルを用いて製造する方法が知られている。これは、図１０に示すように、複数の土嚢袋Ｆを開放状態で行列状に列設し、油圧ショベル（図示せず）のバケット１に土類をすくい取り、油圧ショベルを駆動して、バケット１から複数の土嚢袋Ｆに土類を一時に落とし込み、次に、ならし棒２で水平にならすことにより各土嚢袋Ｆへ土類を充填し、その後、土嚢袋Ｆの開口を締め紐などで締めて閉塞して製造するようにしている。
【０００３】
また、従来においては、特許文献２（特開平９−１７７１１４号公報）に記載され、同様に、油圧ショベルを用いて製造する方法も知られている。これは、油圧ショベルのアームに専用のバケット装置を取り付け、このバケット装置により、土嚢袋に土類を充填するものである。
図１１に示すように、バケット装置Ｓａは、第１枠部材３と第２枠部材４とを備え、第２枠部材４には、掘削刃４ａが設けられ、第１枠部材３は、第２枠部材４の開口部の内面に対して、外面がほぼ摺接可能に形成され、第２枠部材４に対してピンで連結されている。第１枠部材３と第２枠部材４とは、駆動手段として左右に設けた油圧シリンダ５により開帳自在に形成されている。第１枠部材３の左右中央部には外側に向かってＬ字形の係止部材３ａがそれぞれ設けられている。
【０００４】
この油圧ショベル用バケット装置Ｓを用いて土嚢を製造する際は、先ず、第１枠部材３を開帳し、土嚢袋Ｆを開き、第１枠部材３にその開口を嵌め、締め紐の両端は係止部材３ａの外側に掛け回す。次に、第１枠部材３を閉めて、第１枠部材３と第２枠部材４とにより土嚢袋Ｆの開口部を挟持する。
そして、掘削刃４ａで土類を掘削すると、この掘削された土類が土嚢袋Ｆ内に充填されていく。次に、満杯時期を見計らってバケット装置を空中に揚げて土嚢袋Ｆの開口部を上向きにし、第１枠部材３を開帳して土嚢袋Ｆを取り外し、その後、土嚢袋Ｆの開口を締め紐などで締めて閉塞して製造するようにしている。
【０００５】
【特許文献１】特許第２７３９３０７号公報
【特許文献２】特開平９−１７７１１４号公報
【発明の開示】
【発明が解決しようとする課題】
【０００６】
ところで、上記従来の前者の方法にあっては、油圧ショベルのバケット１に入れられる土類を複数の土嚢袋Ｆに落とし込むので、ならし棒２で開口から溢れた土類を水平にならしてはいるものの、土嚢袋Ｆへ入る量が必ずしも一定ではなく、不均一になってしまい、土嚢の品質にバラツキが生じてしまうという問題があった。また、逐一ならし棒２で土類を水平にならしているので、それだけ、作業工数が多くなり、製造効率が悪いという問題もある。
【０００７】
一方、上記後者の方法にあっても、１袋ずつバケット装置Ｓａに装着して土類の掘削により、土類を充填しているが、掘削毎の土類の量が一定ではないので、前者の土嚢と同様に、土嚢袋Ｆへ入る土類の量が必ずしも一定ではなく、不均一になってしまい、土嚢の品質にバラツキが生じてしまうという問題があった。また、土類の量を一定化しようとすると、満杯時期を見計らわなければならず、それだけ作業が煩雑になってしまうし、一つずつ土嚢を製造するので、製造効率が悪くなってしまうという問題もある。
【０００８】
本発明は上記の問題点に鑑みて為されたもので、土類をその量をある程度計量してすくい取ることができるようにして、土嚢袋へ入る土類の量を一定化し、土嚢の均一化を図ることができるようにするとともに、複数の土嚢袋に土類を同時に充填できるようにして製造効率の向上を図った油圧ショベル用バケット装置を提供することを目的とする。
【課題を解決するための手段】
【０００９】
このような目的を達成するための本発明の油圧ショベル用バケット装置は、油圧ショベルのアームに回動可能かつ着脱可能に連結され、開放状態で列設された複数の土嚢袋に土類を充填する為の油圧ショベル用バケット装置において、一端に底部を有し他端に開口を有して形成され土類が入れられる筒体をその軸線を平行にして複数列設してなる本体と、該本体に設けられ上記アームに連結される連結部とを備えて構成されている。
【００１０】
この油圧ショベル用バケット装置を用いて、土嚢を製造する場合は、土嚢袋をスタンドなどに支持し開放状態で列設しておく。一方、油圧ショベルにおいては、予め、アームにバケット装置の連結部を連結してその本体を取り付けておく。
この状態で、油圧ショベルのアームを操作するとともにアームに対してバケット装置を回動操作し、バケット装置の本体の筒体を土類に差し入れてこの筒体で土類をすくい取って筒体内に土類を入れる。
次に、油圧ショベルのアームを操作し、土嚢袋の開口に、本体の各筒体の開口を近づけ、油圧ショベルのアームに対してバケット装置を回動操作し、本体の筒体に入れられた土類を土嚢袋に落とし込んで充填していく。その後に、土嚢袋の開口を締め紐などで締め、土嚢を完成させる。
【００１１】
この場合、バケット装置で土類をすくい取って筒体内に土類を入れる際は、土類は各筒体に分割してすくいとられるが、各筒体に入れられる土類の量が計量させられ、そのため、土嚢袋に充填する土類の量が一定化される。
更に、各筒体のすくい取った量は一定化されて略均一化されているので、各土嚢袋へ入る量が略一定になり、土嚢の品質にバラツキが生じなくなる。
更にまた、本体の回動により複数の土嚢袋に土類が同時に充填されるので、土嚢の製造効率を向上させることができる。
【００１２】
また、必要に応じ、上記各筒体を所定ピッチで列設した構成としている。土嚢袋を予めピッチに合わせて配置しておくことができ、土嚢袋の配置が容易になるとともに、土嚢袋に土類を充填しやすくなる。
更に、必要に応じ、上記筒体の開口を該筒体の軸線に対して傾斜形成し該開口の一部に尖状部を形成している。
筒体に土類を入れる際に、筒体の開口の尖状部が尖っているので、土類に差し入れやすくなり、それだけ、土類をすくいとり易くなる。また、土類を土嚢袋に入れる際も、筒体の尖状部を土嚢袋の開口に差し入れ易く、そのため、土類を土嚢袋に確実に充填し易くなり、それだけ、土嚢の製造効率が向上させられる。
【発明の効果】
【００１３】
以上説明したように、本発明の油圧ショベル用バケット装置によれば、一端に底部を有し他端に開口を有し土類が入れられる筒体をその軸線を平行にして複数列設してなる本体と、本体に設けられアームに連結される連結部とを備えたので、各土嚢に入れる土類をある程度計量して各筒体毎にすくいとることができ、土嚢袋へ入る土類の量を一定化でき、土嚢の均一化を図ることができる。また、複数の土嚢袋に同時に充填できるようになり、土嚢の製造効率を向上させることができる。
また、各筒体を所定ピッチで列設した場合には、土嚢袋の配置を容易にすることができるとともに、土嚢袋に土類を充填し易くすることができる。
更に、筒体の開口を筒体の軸線に対して傾斜形成し開口の一部に尖状部を形成した場合には、筒体の尖状部を土類に差し入れて土類をすくいとり易くなるとともに、土類を土嚢袋に入れる際も、筒体の尖状部を土嚢袋の開口に差し入れて土類を土嚢袋に充填し易くなり、それだけ、土嚢の製造効率が向上させられる。
【発明を実施するための最良の形態】
【００１４】
以下、添付図面に基づいて、本発明を実施するための最良の形態に係る油圧ショベル用バケット装置について詳細に説明する。
【００１５】
図１乃至図９には、最良の形態に係る油圧ショベル用バケット装置Ｓを示している。
この油圧ショベル用バケット装置Ｓは、油圧ショベルＢのアタッチメントとして、この油圧ショベルＢに着脱可能に取り付けられる。
油圧ショベルＢは、一般に、例えば、図６に示すように、自走可能かつ上部が旋回可能な基体１０と、一方が基体１０に回動可能に設けられるブーム１１と、ブーム１１の他方側に回動可能に設けられるアーム１２とを備えている。ブーム１１及びアーム１２は、基体１０に備えられる運転台からの操作により、夫々に備えられる油圧シリンダ１３のピストンを進退動させて回動させられる。油圧ショベル用バケット装置Ｓは、油圧ショベルＢのアーム１２に回動可能かつ着脱可能に連結される。
【００１６】
本油圧ショベル用バケット装置Ｓは、図１乃至図５に示すように、開放状態で列設された複数の土嚢袋Ｆに土類を充填する為のものであり、例えば、鉄等の金属で形成され、本体２０と、この本体２０に設けられ油圧ショベルＢのアーム１２に回動可能かつ着脱可能に連結される連結部３０とを備えている。
【００１７】
本体２０は、一端に底部２１を有し他端に開口２３を有して形成され土類が入れられる複数（図では４つ）の円筒状の筒体２２を備えている。
４個の各筒体２２は、同形状及び同容積に形成され、姿勢を同じにし、かつ、その軸線ｘを平行にして所定ピッチＰで列設され、筒体２２の上側に設けた板部材２５及び各筒体２２間に設けられる接続部材２６に溶接等により固定されている。接続部材２６のうち、左右側の２個の接続部材２６の前面には、土嚢袋Ｆの開口４２に設けられた締め紐を係止して引っ張って開口４１を閉じるとともに、この紐を介して土嚢を吊り下げて搬送するためのフック２７が備えられている。
【００１８】
各筒体２２は、その容積が、土嚢袋Ｆに充填可能な土類の容積と略同じに形成され、その開口２３は、筒体２２の軸線ｘに対して傾斜形成され、その開口２３の一部に尖状部２４を形成してなる。
【００１９】
連結部３０は、板部材２５から取付部材３１を介して垂直に立設され筒体２２の軸線ｘと平行な面を有した一対の矩形状の取付板３３を有したジョイント部材３２を備えている。
ジョイント部材３２の取付板３３には、油圧ショベルＢのアーム１２の先端に設けられた挿通孔１２ａに対応し、回動軸３７が挿通される一対のアーム接続孔３５と、アーム１２に設けられ回動軸３７を中心に本体２０を回動させるためのリンク１５の一端に設けられた挿通孔１５ａに対応し、リンクピン３９が挿通される一対のリンク接続孔３６とが備えられている。図１中３８は、挿通孔１２ａ及び挿通孔１５ａに挿通された回動軸３７及びリンクピン３９に差し込まれ、該回動軸３７及びリンクピン３９の抜け止めを行なうための保持ピンである。また、図１中、符号１４はリンク１５を駆動する油圧シリンダ、１５ｂはリンク１５をアーム１２に支持する別のリンクである。
【００２０】
アーム１２とジョイント部材３２とを連結する場合は、回動軸３７を、アーム接続孔３５の一方側からアーム１２の挿通孔１２ａを通してアーム接続孔３５の他方側に向けて挿通していき、保持ピン３８で抜け止めして、アーム１２とジョイント部材３２とを連結する。
また、リンク１５とジョイント部材３２とを連結する場合は、リンクピン３９を、リンク接続孔３６の一方側からリンク１５の挿通孔１５ａを通して他方側に向けて挿通していき、保持ピン３８で抜け止めして、リンク１５とジョイント部材３２とを連結する。
即ち、回動軸３７及びリンクピン３９の挿脱により、油圧ショベル用バケット装置Ｓの本体２０がアーム１２に着脱可能になっている。
【００２１】
次に、この油圧ショベル用バケット装置Ｓを用いて、土嚢を製造する場合について説明する。この土嚢の製造においては、図８及び図９に示すように、土嚢袋Ｆを開放状態でその複数を列設するためのスタンド４０が用いられる。
このスタンド４０には、土嚢袋Ｆの開口４１を係止する矩形状の係止リング４２が上記油圧ショベル用バケット装置Ｓの筒体２２の列設方向のピッチＰと同じピッチＰで４個列設されている。土嚢袋Ｆの開口４１は、係止リング４２の内側から外側に折り返して係止される。
【００２２】
そして、土嚢袋Ｆに充填する土類が堆積された現場において、スタンド４０を設置して、このスタンド４０に土嚢袋Ｆを装着する。この場合、スタンド４０の夫々の係止リング４２に、土嚢袋Ｆの開口４１を、折り返して係止しておく。
一方、油圧ショベルＢにおいては、予め、アーム１２に油圧ショベル用バケット装置Ｓをその連結部３０を連結することにより取り付けておく。この油圧ショベル用バケット装置Ｓの動作においては、油圧ショベルＢの基体１０に設けられる運転台から、アーム１２の上側に設けられる油圧シリンダ１４を操作すると、リンク１５がリンク接続孔３６を介して油圧ショベル用バケット装置Ｓの本体２０の後側を押しあるいは引っ張るので、アーム接続孔３５に挿通される回動軸３７を中心に本体２０の開口２３が上あるいは下を向くように本体２０が回動させられる。
【００２３】
そして、油圧ショベルＢを移動させ、図６及び７に示すように、油圧ショベルＢのブーム１１，アーム１２及び本体２０を回動させる油圧シリンダ１３，１４を操作し、筒体２２を土類に差し入れて本体２０に土類をすくいとる。この際、開口２３を尖らせた尖状部２４があるので、土類に筒体２２を差し入れ易くなる。また、筒体２２の開口２３が筒体２２の軸線ｘに対して傾斜形成されているので、土類をすくい取り易くできる。この場合、土類は各筒体２２に分割してすくいとられるが、筒体２２の容積が充填可能な土類の容積と略同じに形成されているので、各筒体２２に入れられる土類の量が計量させられ、そのため、土嚢袋Ｆに充填する土類の量が一定化される。
【００２４】
次にまた、図７乃至図９に示すように、筒体２２の開口２３を上に向けた状態で、基体１０をスタンド４０のある方向に旋回させ、筒体２２の開口２３をスタンド４０に係止された土嚢袋Ｆの開口４１に近づけて、アーム１２に対してバケット装置Ｓを回動操作し、本体２０の筒体２２にすくいとられた土類を土嚢袋Ｆに充填していく。この場合、筒体２２の開口２３の尖状部２４が尖っているので、土嚢袋Ｆの開口４１に差し入れ易く、そのため、土類を土嚢袋Ｆに確実に充填し易くなり、それだけ、土嚢の製造効率が向上させられる。また、この際、各筒体２２のすくい取った量は略均一化されているので、各土嚢袋Ｆへ入る量が略一定になり、土嚢の品質にバラツキが生じなくなる。また、本体２０が、複数の土嚢袋Ｆに同時に充填するので、土嚢の製造効率を向上させることができる。
その後に、フック２７を利用して土嚢袋Ｆの開口４１を締め紐で締め、スタンド４０から取り外し、土嚢を完成させる。
【図面の簡単な説明】
【００２５】
【図１】本発明の発明を実施するための最良の形態に係る油圧ショベル用バケット装置を示す斜視図である。
【図２】本発明の発明を実施するための最良の形態に係る油圧ショベル用バケット装置を示す図１中Ａ−Ａ線断面図である。
【図３】本発明の発明を実施するための最良の形態に係る油圧ショベル用バケット装置を示す横断面図である。
【図４】本発明の発明を実施するための最良の形態に係る油圧ショベル用バケット装置を示す図１中Ｂ−Ｂ線断面図である。
【図５】本発明の発明を実施するための最良の形態に係る油圧ショベル用バケット装置の裏面を示す平面図である。
【図６】本発明の発明を実施するための最良の形態に係る油圧ショベル用バケット装置の作用を示す図である。
【図７】本発明の発明を実施するための最良の形態に係る油圧ショベル用バケット装置の作用を示す図である。
【図８】本発明の発明を実施するための最良の形態に係る油圧ショベル用バケット装置の作用を示す図である。
【図９】本発明の発明を実施するための最良の形態に係る油圧ショベル用バケット装置を油圧ショベルに装着した状態を示す斜視図である。
【図１０】従来の土嚢の製造方法の一例を示す図である。
【図１１】従来の油圧ショベル用バケット装置を示す図である。
【符号の説明】
【００２６】
Ｓ  油圧ショベル用バケット装置
Ｂ  油圧ショベル
Ｐ  ピッチ
Ｆ  土嚢袋
ｘ  軸線
１０  基体
１２  アーム
２０  本体
２１  底部
２２  筒体
２３  開口
２４  尖状部
３０  連結部
４０  スタンド
【図１】
2005030111.tif 000003
【図２】
2005030111.tif 000004
【図３】
2005030111.tif 000005
【図４】
2005030111.tif 000006
【図５】
2005030111.tif 000007
【図６】
2005030111.tif 000008
【図７】
2005030111.tif 000009
【図８】
2005030111.tif 000010
【図９】
2005030111.tif 000011
【図１０】
2005030111.tif 000012
【図１１】
2005030111.tif 000013